(57)【要約】      （修正有）【課題】スラブが完成されたラーメン式建物の外壁又は別途の壁面が設けられた建物のカーテンウォールを施工するための外壁施工装置であって、一体の現場溶接なしに、ボルト及びナットの組み立てのみにより施工が可能な建物の外壁施工装置を提供する。【解決手段】建物の外面に固定される第１のブラケット１０と、第１のブラケットに固定され、建物の外面に沿って水平に配置される横ビーム２０と、横ビームに固定される第２のブラケット３０と、第２のブラケットに固定され、横ビームの外面に沿って垂直に配置される縦ビーム４０と、縦ビームに固定される第３のブラケット５０と、第３のブラケットにかどがガイドされ、縦ビームの外側に垂直に配置される板構造物６０とを備える。横ビームと縦ビームとは、それぞれ長さの方向に向かう中空及び上記板構造物に向かう外面の一側に、長さの方向に向かうスリット形状の開口部２４が貫通した角形鋼管である。【選択図】図１
2011111886.tif 000002
【特許請求の範囲】
【請求項１】
第１のボルトと第１のナットとにより、建物の外面に固定される第１のブラケットと、
第２のボルトと第２のナットとにより、上記第１のブラケットに固定され、上記建物の外面に沿って水平に配置される横ビームと、
第３のボルトと第３のナットとにより、上記横ビームに固定される第２のブラケットと、
第４のボルトと第４のナットとにより、上記第２のブラケットに固定され、上記横ビームの外面に沿って垂直に配置される縦ビームと、
第５のボルトと第５のナットとにより、上記縦ビームに固定される第３のブラケットと、
上記第３のブラケットにかどがガイドされ、上記縦ビームの外側に垂直に配置される板構造物と
を備え、
上記横ビームと縦ビームとは、それぞれ長さの方向に向かう中空及び上記板構造物に向かう外面の一側に、長さの方向に向かうスリット形状の開口部が貫通した同様の角形鋼管である、現場溶接のない建物の外壁施工装置。
【請求項２】
上記建物は、スラブを含み、上記第１のボルトは、上記スラブの上面又は下面の縁に固定されたアンカーボルトであり、
上記第１のブラケットは、垂直の第１の固定端及び第１の支持端を含み、上記第１のボルトと第１のナットとにより、上記スラブの上面又は下面の縁に、上記第１の固定端が密着し固定され、上記第２のボルトと第２のナットとにより、上記第１の支持端に上記横ビームが固定される、請求項１に記載の現場溶接のない建物の外壁施工装置。
【請求項３】
上記建物は、壁面又は柱を含み、補助ボルトと補助ナットとにより、上記壁面又は柱に固定される補助ブラケットを更に含み、上記第１のブラケットは、上記補助ブラケットを媒介にして上記壁面又は柱に固定される、請求項１に記載の現場溶接のない建物の外壁施工装置。
【請求項４】
上記補助ボルトは、上記壁面又は柱に固定されたアンカーボルトであり、
上記補助ブラケットは、垂直の補助固定端及び補助支持端を含み、上記補助ボルトと上記補助ナットとにより、上記壁面又は柱に上記補助固定端が密着し固定され、上記第１のボルトと第１のナットとにより、上記補助支持端に上記第１のブラケットが固定され、
上記第１のブラケットは、垂直の第１の固定端及び第１の支持端を含み、上記第１のボルトと第１のナットとにより、上記補助支持端に上記第１の固定端が密着し固定され、上記第２のボルトと第２のナットとにより、上記第１の支持端に上記横ビームが固定される、請求項３に記載の現場溶接のない建物の外壁施工装置。
【請求項５】
上記横ビームは、上記建物の外面と上記第１の支持端との間に置かれ、上記第２のボルトは、上記第１の支持端を通じて上記横ビームの開口部にヘッドが貫通し挿入される、請求項２又は４に記載の現場溶接のない建物の外壁施工装置。
【請求項６】
上記縦ビームは、上記横ビームの外面に密着され、上記第２のブラケットは、上記横ビームと縦ビームとの交差地点において、上記縦ビームの外面を覆う第２の固定端と、上記第２の固定端の両端において外向折曲されて上記横ビームに密着される第２の支持端とを含み、上記第３のボルトは、上記第２の支持端を通じて上記横ビームの開口部にヘッドが貫通し挿入され、上記第４のボルトは、上記第２の固定端を通じて上記縦ビームの開口部にヘッドが貫通し挿入される、請求項１に記載の現場溶接のない建物の外壁施工装置。
【請求項７】
上記第３のブラケットは、上記縦ビームの外面に密着される第３の固定端及びこれに垂直した第３の支持端を含み、上記第５のボルトは、上記第３の固定端を通じて上記縦ビームの開口部にヘッドが貫通し挿入される、請求項１に記載の現場溶接のない建物の外壁施工装置。
【発明の詳細な説明】
【技術分野】
【０００１】
本発明は、外壁施工装置に関する。より具体的に、本発明は、スラブ（slab）が完成されたラーメン式（rahmen type）建物の外壁又は別途の壁面が設けられた建物のカーテンウォール（curtain wall）を施工するための外壁施工装置であって、一体の現場溶接なしに、ボルト及びナット組み立てのみに施工が可能な建物の外壁施工装置に関する。
【背景技術】
【０００２】
一般に、外壁（outer wall）とは、内外部環境を区分するために、建物の外周部に設けられ耐水性、耐久性、耐火性、遮音性、及び断熱性を発揮する垂直の壁面を総称する。
【０００３】
最近、建物の内的要素だけでなく建物の外的要素、即ち外形的デザインが重要視されながら外壁の効率的な活用方案が注目されている。例えば、過去には、主にコンクリートの外壁にペイントを塗るか、レンガなどを付着して飾っていたが、このごろは、石材、金属、ガラスなどの大面積の板構造物で別途のカーテンウォール（curtain wall）を施工して、材質固有の美感を表す方法が幅広く使用されている。
【０００４】
一方、カーテンウォールの施工方法には、「湿式施工方法」と「乾式施工方法」がある。
【０００５】
湿式施工方法は、建物壁面の外側に板構造物を臨時対面させた後、その間にセメントを打設して永久固定する方式であり、セメントの養生をはじめとする施工期間が長く、作業性及び施工性が低くて、現在は略使われていない。一方、乾式施工方法は、ブラケット（bracket）又は鉄材構造物などを利用して、建物壁面の外側に板構造物を固定する方式であり、湿式施工方法と比べて、施工性及び作業性に優れていて、大部分の外壁施工に広範囲に活用されている。
【０００６】
しかし、一般的な乾式施工方法も、いくつかの問題点を有していて、根本的にカーテンウォール以外の外壁施工が事実上不可能である。
【０００７】
即ち、一般的な乾式施工方法は、ブラケット又は鉄材構造物の固定のための別途の壁面を必要とすることにより、費用が二重的にかかる上で、壁面の外側において自体の荷重が重い板構造物で長時間の高空作業を行わなければならないので、作業環境が劣悪である。更に、板構造物を固定するためのブラケット又は鉄材構造物は、建物壁面に先固定された後、板構造物に後固定されるので、壁面が平坦でないか、その他の作業環境に応じて切断、溶接など、現場での補正作業が避けられず、これらの全過程は、壁面と板構造物との間の狭い空間で行うしかないために施工が難しい。
【０００８】
従って、外壁施工には、相変らず改善されるべき点が多いが、基本的にカーテンウォール以外の外壁、一例に、スラブ（slab）のみが完成されたラーメン式（rahmen type）建物の外壁などを施工することができる実質的な方法が要求される一方、作業者の安全を威嚇する長時間の高空作業と、切断、溶接などの現場作業を最小化することができる具体的な方法が要求される。
【発明の概要】
【発明が解決しようとする課題】
【０００９】
本発明の目的は、上記のような問題点を解決するために案出されたものである。即ち、本発明は、スラブが完成されたラーメン式建物の外壁又は別途の壁面が設けられた建物のカーテンウォールを施工することができる外壁施工装置であって、ボルト及びナット組み立てのみに全施工が可能であり、切断、溶接などの現場作業を最小化し、安全で便利な作業を通じて、施工期間及び施工費用を大幅短縮しながら、相対的に堅固な外壁を施工することができる現実的な方案を提示することである。
【課題を解決するための手段】
【００１０】
上記のような目的を達成するために、本発明は、第１のボルトと第１のナットとにより建物の外面に固定される第１のブラケットと、第２のボルトと第２のナットとにより上記第１のブラケットに固定され、上記建物の外面に沿って水平に配置される横ビームと、第３のボルトと第３のナットとにより上記横ビームに固定される第２のブラケットと、第４のボルトと第４のナットとにより上記第２のブラケットに固定され、上記横ビームの外面に沿って垂直に配置される縦ビームと、第５のボルトと第５のナットとにより上記縦ビームに固定される第３のブラケットと、上記第３のブラケットにかどがガイドされ、上記縦ビームの外側に垂直に配置される板構造物とを備え、上記横ビームと縦ビームは、それぞれ長さ方向に向かう中空及び上記板構造物に向かう外面の一側に、長さ方向に向かうスリット形状の開口部が貫通した同様の角形鋼管である、現場溶接のない建物の外壁施工装置を提供する。
【００１１】
この時、上記建物は、スラブを含み、上記第１のボルトは、上記スラブの上面又は下面の縁に固定されたアンカーボルトであり、上記第１のブラケットは、垂直の第１の固定端及び第１の支持端を含み、上記第１のボルトと第１のナットとにより、上記スラブの上面又は下面の縁に上記第１の固定端が密着固定され、上記第２のボルトと第２のナットとにより上記第１の支持端に上記横ビームが固定されることを特徴とする。
【００１２】
また、上記建物は、壁面又は柱を含み、補助ボルトと補助ナットにより上記壁面又は柱に固定される補助ブラケットを更に含み、上記第１のブラケットは、上記補助ブラケットを媒介にして上記壁面又は柱に固定されることを特徴とし、この場合、上記補助ボルトは、上記壁面又は柱に固定されたアンカーボルトであり、上記補助ブラケットは、垂直の補助固定端及び補助支持端を含み、上記補助ボルトと上記補助ナットにより、上記壁面又は柱に上記補助固定端が密着し固定され、上記第１のボルトと第１のナットにより、上記補助支持端に上記第１のブラケットが固定され、上記第１のブラケットは、垂直の第１の固定端及び第１の支持端を含み、上記第１のボルトと第１のナットにより、上記補助支持端に上記第１の固定端が密着し固定され、上記第２のボルトと第２のナットにより、上記第１の支持端に上記横ビームが固定されることを特徴とする。
【００１３】
また、上記横ビームは、上記建物の外面と上記第１の支持端との間に置かれ、上記第２のボルトは、上記第１の支持端を通じて上記横ビームの開口部にヘッドが貫通し挿入されることを特徴とする。
【００１４】
また、上記縦ビームは、上記横ビームの外面に密着され、上記第２のブラケットは、上記横ビームと縦ビームの交差地点において上記縦ビームの外面を覆う第２の固定端と、上記第２の固定端の両端において外向折曲されて上記横ビームに密着される第２の支持端を含み、上記第３のボルトは、上記第２の支持端を通じて上記横ビームの開口部にヘッドが貫通し挿入され、上記第４のボルトは、上記第２の固定端を通じて上記縦ビームの開口部にヘッドが貫通し挿入されることを特徴とし、上記第３のブラケットは、上記縦ビームの外面に密着される第３の固定端及びこれに垂直した第３の支持端を含み、上記第５のボルトは、上記第３の固定端を通じて上記縦ビームの開口部にヘッドが貫通し挿入されることを特徴とする。
【発明の効果】
【００１５】
前述したように、本発明に係る外壁施工装置は、スラブが完成されたラーメン式建物の外壁または別途の壁面を備えた建物のカーテンウォールを施工することができるので、活用範囲が広い。さらに、本発明に係る外壁施工装置は、現場溶接なしにボルト及びナット組み立てのみで外壁を施工することができるので、安全で便利であり、全作業がたやすくて、施工期間及び費用を大きく節約することができる。
【図面の簡単な説明】
【００１６】
【図１】本発明の第１の実施例に係る外壁施工装置の平面図である。
【図２】図１の円内のＡ部分に対する拡大斜視図である。
【図３】図１の円内のＢ部分に対する拡大斜視図である。
【図４】図１の円内のＣ部分に対する拡大斜視図である。
【図５】本発明の第１の実施例に係る外壁施工装置の施工斜視図である。
【図６】本発明の第１の実施例に係る外壁施工装置の施工斜視図である。
【図７】本発明の第１の実施例に係る外壁施工装置の施工斜視図である。
【図８】本発明の第１の実施例に係る外壁施工装置の施工斜視図である。
【図９】本発明の第１の実施例に係る外壁施工装置の施工斜視図である。
【図１０】本発明の第２の実施例に係る外壁施工装置の平面図である。
【図１１】図１０の円内のＤ部分に対する拡大斜視図である。
【図１２】本発明の第２の実施例に係る外壁施工装置の施工斜視図である。
【図１３】本発明の第２の実施例に係る外壁施工装置の施工斜視図である。
【図１４】本発明に係る外壁施工装置の横ビーム又は縦ビームを示す断面図である。
【図１５】本発明に係る外壁施工装置の第２のボルト及び第２のナットの分解斜視図である。
【図１６】本発明に係る外壁施工装置の第３のブラケットを示す平面図である。
【図１７】本発明に係る外壁施工装置の横ビーム又は縦ビームを示す斜視図である。
【発明を実施するための形態】
【００１７】
以下、図面を参照して本発明を詳細に説明する。
【００１８】
本格的な説明に先立ち、本発明に係る現場溶接のない建物の外壁施工装置（以下、「外壁施工装置」という。）は、スラブが完成されたラーメン式建物の外壁または別途の壁面が設けられた建物のカーテンウォールを施工することができることを特徴とする。従って、それぞれを実施例別に区分して説明する。便宜上、第１実施例においては、共通の内容を中心に、その他の実施例においては、差異点を中心に説明する。
【実施例１】
【００１９】
添付の図１は、本発明の第１の実施例に係る外壁施工装置の平面図である。
【００２０】
本実施例は、スラブが完成された建物、即ちラーメン式建物の外壁を施工するための場合として、図面上の任意の階に対する天井とフロアである、上下のスラブ２、４を確認することができる。そして、たとえ示されていないが、図面の左右側には、柱が存在する。
【００２１】
示されたように、本発明の第１の実施例に係る外壁施工装置は、スラブ２、４の外面に沿って水平に固定された複数の横ビーム２０と、横ビーム２０の外面に沿って垂直に固定された複数の縦ビーム４０と、縦ビーム４０の外側に四方に連続するように垂直に固定された複数の板構造物６０とを備える。
この時、好ましくは、横ビーム２０は、スラブ２、４に直接固定される横ビーム２０以外に、一対の横ビーム２０の間に介在した少なくとも一つの補助横ビーム２１を含むことができる。
上記補助横ビーム２１は、本発明において必須的ではないが、横ビーム２０に加えられる荷重の分散のために、ひとつ以上が適切に使用されるが、これに対しては該当の部分で詳しく説明する。
【００２２】
一方、本発明の第１の実施例に係る外壁施工装置は、横ビーム２０（補助横ビーム２１を含み、以下同一である。）及び縦ビーム４０の両方が、それぞれの長さ方向に垂直した断面に基づいて、長さ方向に沿って中空が貫通した四角の角形鋼管（Rectangular steel pipe又はSquare steel pipe）として、一側外面の長さ方向に沿ってスリット（slit）形状の開口部２４が開放された同様を示す。これは、本発明に係る外壁施工装置の主な特徴のうちの一つである。
【００２３】
この時、たとえ図面上の開口部２４は、それぞれの長さ方向の全体に沿って開放されたように示されているが、必要によって長さ方向の一部のみに開放された形態も可能であり、複数が一定の間隔をおいて一列に並べた形態も可能である。
【００２４】
即ち、添付の図１４は、本発明に係る外壁施工装置の横ビーム２０又は縦ビーム４０を示す断面図であって、長さ方向に向かう中空２２及び一側外面の長さ方向に沿ってスリット形状に開放された開口部２４を確認することができる。この時、好ましくは、開口部２４を成す両側リブ（rib）２６の先端は、中空２２の内部に斜めに傾けて湾入され、一例に全体の横幅ｅと縦幅ｆとが、それぞれ７５ｍｍ、４５ｍｍ程度という仮定の下に、開口部２４の幅は、１０〜１５ｍｍ、両側リブ２６の湾入程度ｈは、２〜４ｍｍを表す。
【００２５】
再度図１を参照すれば、本発明の第１の実施例に係る外壁施工装置の横ビーム２０は、第１のブラケット１０を媒介にしてスラブ２、４に水平に固定され、縦ビーム４０は、第２のブラケット３０を媒介にして横ビーム２０の外面に垂直に固定され、板構造物６０は、第３のブラケット５０を媒介にして縦ビーム４０の外面に沿って四方に連続するように垂直に固定される。
この時、第１から第３のブラケット１０、３０、５０をはじめとする横ビーム２０と縦ビーム４０は、ボルト及びナットにより結合され、好ましくは、補助横ビーム２１も別途のブラケット及び第１のブラケット１０を媒介にして柱に、ボルト及びナットにより固定される。これは、本発明の更に他の主な特徴である。
【００２６】
即ち、本発明に係る外壁施工装置は、実質的に同一の形態の横ビーム２０と縦ビーム４０を利用して、一体の現場溶接なしにボルト及びナットのみにより施工されることを特徴とするところ、図２から図４、そして別に言及される図面を、図１と共に参照してより具体的に説明する。
【００２７】
添付の図２は、本発明の第１の実施例に係る外壁施工装置の一部として、図１の円内のＡ部分に対する拡大斜視図を示す。
【００２８】
示されたように、横ビーム２０は、第１のブラケット１０により、スラブ２、４の外面に沿って水平に固定される。
【００２９】
これのための第１のブラケット１０は、垂直の第１の固定端１２及び第１の支持端１６からなるエルボー（ｅｌｂｏｗ）又は「Ｌ」字状として、第１の固定端１２には第１の固定ホール１４が貫通され、第１の支持端１６には第１の支持ホール１８が貫通される。
そして、第１のブラケット１０の第１の固定端１２は、スラブ２、４の上面又は下面の縁に既挿入された第１のボルトＢ１及びこれに締結される第１のナットＮ１により、スラブ２、４の上面又は下面の縁に密着し固定され、よって第１の支持端１６は、スラブ２、４の外面に並んでいるように垂直に配置される。
そして、スラブ２、４の外面と第１の支持端１６との間には、開口部２４が第１の支持端１６に向かうように横ビーム２０が水平に安着して、第１の支持ホール１８を通じて開口部２４に貫通し挿入される第２のボルトＢ２及びこれに締結される第２のナットＮ２により堅固に固定される。
【００３０】
この時、便宜上、建物の前後方向をＸ軸方向、上下方向をＹ軸方向、左右方向をＺ軸方向とすると、好ましくは、第１の固定ホール１４は、Ｘ軸方向の幅がＺ軸方向の幅より大きい、Ｘ軸長空の形態を示し、第１の支持ホール１８は、Ｚ軸方向の幅がＹ軸方向の幅より大きい、Ｚ軸長孔の形態を示す。従って、第１の固定ホール１４に対する第１のボルトＢ１及び第１のナットＮ１の締結位置と、第１の支持ホール１８に対する第２のボルトＢ２及び第２のナットＮ２の締結位置とは、それぞれの限度内で適切に調節されることができる。
【００３１】
また、好ましくは、第２のボルトＢ２は、第１のブラケット１０の第１の支持端１６の第１の支持ホール１８を通じて、横ビーム２０の開口部２４にヘッド（ｈｅａｄ）から挿入されて、第２のナットＮ２の締結を容易にし、第２のナットＮ２は、いわゆるフランジナット（ｆｌａｎｇｅ  ｎｕｔ）を使用して堅固な結合を図る。
【００３２】
即ち、添付の図１５は、第２のボルトＢ２及び第２のナットＮ２を示す分解斜視図であって、図２と共に参照すれば、第２のボルトＢ２のヘッドＨは、短縮の長さが、第１の支持ホール１８及び横ビーム２０の開口部２４の幅より小さく、長軸の長さが、第１の支持ホール１８及び横ビーム２０の開口部２４の幅より大きい長方形又はこれに類似の形態を示す。そして、第２のナットＮ２は、第２のボルトＢ２のヘッド（Ｈ）に向かう一先端に、フランジＦが巻き付けられて、その密着面に沿って締結反対方向に向かう羽枝（barb）状の凹凸突起（ＢＡ）が備えられる。
【００３３】
その結果、作業者は、第２のボルトＢ２のヘッドＨを横に横たえた状態で、第１のブラケット１０の第１の支持端１６の第１の支持ホール１８を通じて、横ビーム２０の開口部２４に貫通し挿入した後、９０°程度回転させ、横ビーム２０の両側リブ（図１４の２６参照）にかかるようにした後、第１のブラケット１０の第１の支持端１６の第１の支持ホール１８を通じて、外部に突出したねじ部Ｓに第２のナットＮ２を締結する。従って、作業者は、便利に第２のナットＮ２を締結することができ、前述したように、横ビーム２０の両側リブ２６は、その内部に斜めに湾入されるので、第２のボルトＢ２及び第２のナットＮ２の締結の際に、弾性を発揮して相対的に堅固な結合を図り、第２のナットＮ２の凹凸突起ＢＡは、解け方向に対して強い摩擦力を発揮して一層堅固な結合を可能にする。
【００３４】
添付の図３は、本発明の第１の実施例に係る外壁施工装置の一部として、図１の円内のＢ部分に対する拡大斜視図を示す。
【００３５】
示されたように、縦ビーム４０は、第２のブラケット３０により横ビーム２０の外面に沿って垂直に固定される。
【００３６】
これのための第２のブラケット３０は、両末端が同一方向に垂直に折曲されて、横ビーム２０と縦ビーム４０の交差地点において縦ビーム４０の外面を覆う「
2011111886.tif 000003
」字状の第２の固定端３２と、その両末端からそれぞれ外向するように折曲されて、交差地点の左右の横ビーム２０に密着する一対の第２の支持端３６とからなるバンド（band）状として、第２の固定端３２には、第２の固定ホール３４が貫通され、第２の支持端３６には、第２の支持ホール３８がそれぞれ貫通される。
そして、第２の支持端３６は、第２の支持ホール３８を通じて横ビーム２０の開口部２４に貫通し挿入される第３のボルトＮ３及びこれに締結される第３のナットＮ３により横ビーム２０に固定され、第２の固定端３２は、第２の固定ホール３４を通じて縦ビーム４０の開口部２４に貫通し挿入される第４のボルト（Ｎ４）及びこれに締結される第４のナットＮ４により縦ビーム４０に固定される。
【００３７】
その結果、縦ビーム４０は、横ビーム２０の外面に沿って垂直に堅く固定される。
【００３８】
この時、好ましくは、第２の固定ホール３４は、Ｙ軸方向の幅がＺ軸方向の幅より大きいＹ軸長孔の形態を示し、第２の支持ホール３８は、それぞれＺ軸方向の幅がＹ軸方向の幅より大きいＺ軸長孔の形態を示す。従って、第２の支持ホール３８に対する第３のボルトＢ３及び第３のナットＮ３の締結位置と、第２の固定ホール３４に対する第４のボルトＢ４及び第４のナットＮ４の締結位置とは、それぞれの限度内で適切に調節されることができる。
【００３９】
また、好ましくは、第３及び第４のボルトＢ３、Ｂ４は、それぞれ第２のボルト（図１５のＢ２参照）と実質的に同一の形態を示し、第３及び第４のナットＮ３、Ｎ４は、それぞれ第２のナット（図１５のＮ２参照）と実質的に同一のフランジナットが使用される。これに対する詳しい内容は、上記と同一であるので、別途の説明は省略する。
【００４０】
一方、添付の図１６は、第２のブラケット３０の平面図であって、図３と共に参照すれば、３段折曲された「
2011111886.tif 000004
」字状(コ字状、又はハット状)の第２の固定端３２及びその両末端で外向するように折曲された一対の第２の支持端３６を確認することができる。この時、好ましくは、第２の固定端３２と第２の支持端３６とによる角度は、それぞれ９０°未満として、第４のボルトＢ４及び第４のナットＮ４の結合の際に、弾性を発揮して相対的に堅固な結合を可能にする。一例として、第２の支持端３６の傾け程度（ｉ）は、２〜３ｍｍの値を表す。
【００４１】
添付の図４は、本発明の第１の実施例に係る外壁施工装置の一部として、図１の円内のＣ部分に対する拡大斜視図を示す。
【００４２】
示されたように、板構造物６０は、第３のブラケット５０により、縦ビーム４０の外側に四方に連続するように垂直に固定される。
【００４３】
これのための第３のブラケット５０は、垂直の第３の固定端５２と第３の支持端５６とからなるエルボー又は「Ｌ」字状として、第３の固定端５２には、第３の固定ホール５４が貫通され、第３の支持端５６には、第３の支持ホール（図８の５８を参照し、以下同一である。）が貫通される。
そして、第３のブラケット５０の第３の固定端５２は、第３の固定ホール５４を通じて縦ビーム４０の開口部２４を貫通する第５のボルトＢ５及びこれに締結される第５のナットＮ５により、縦ビーム４０の外面に密着し固定され、よって縦ビーム４０の外面から水平に突出した第３の支持端５６には、板構造物６０の上下左右の４つのかどが支持されて四方に連続するように垂直に固定される。
【００４４】
この時、好ましくは、第３の支持端５６に別途の延長ピン７０が結合して板構造物６０を、代わりに支持することができる。上記延長ピン７０は、必須的ではないが、板構造物６０と縦ビーム４０との間の間隔を、第３のブラケット５０の第３の支持端５６の長さ以上に離隔させようとする場合に使用される。
これのための延長ピン７０は、延長ホール７２が貫通した所定の長さのプレート（plate）状として、その幅は、第３のブラケット５０の第３の支持端５６に類似する。そして、延長ピン７０は、第３のブラケット５０の第３の支持端５６に重なって第３の支持ホール５８と延長ホール７２を貫通する第６ノボルトＢ６及びこれに締結される第６のナットＮ６により、第３の支持端５６を実質的に延長するように堅固に固定される。
【００４５】
従って、板構造物６０は、延長ピン７０に上下左右の４つのかどが支持されて四方に連続するように垂直に固定される。
【００４６】
この時、好ましくは、延長ピン７０には、ピンホール（７４）が貫通することができ、ここにピン７８を嵌めて上下に隣接した２つの板構造物６０に挿入すれば、板構造物６０は一層堅固に固定される。一方、延長ピン７０を使用しない場合には、第３のブラケット５０の第３の支持端５６の第３の支持ホール５８にピン７８を嵌めて、上下に隣接した２つの板構造物６０に挿入することも可能である。
【００４７】
そして、好ましくは、第３のブラケット５０の第３の固定端５２の第３の固定ホール５４は、Ｙ軸方向の幅がＺ軸方向の幅より大きいＹ軸長孔の形態を示し、第３の支持端５６の第３の支持ホール５８と延長ピンの７０延長ホール７２とは、それぞれＸ軸方向の幅がＺ軸方向の幅より大きいＸ軸長孔の形態を示す。従って、第３の固定ホール５４に対する第５のボルトＢ５及び第５のナットＮ５の締結位置と、第３の支持ホール７８と延長ホール７２とに対する第６のボルトＢ６及び第６のナットＮ６の締結位置とは、それぞれの限度内で適切に調節されることができる。
【００４８】
また、好ましくは、第５のボルトＢ５は、第２のボルト（図１５のＢ２参照）と実質的に同一の形態を示し、第５のナットＮ５は。第２のナット（図１５のＮ２参照）と実質的に同一のフランジナットが使用される。これに対する詳しい内容は、上記と同一であるので、重複した説明は省略する。一方、第６のボルトＢ６及び第６のナットＮ６は、それぞれ一般的なものが使用されることができる。
【００４９】
添付の図５から図９は、それぞれ本発明の第１の実施例に係る外壁施工装置の施工順序別の工程斜視図であって、図１から図４と共に参照する。参考として、図５から図９は、本発明の第１の実施例に係る外壁施工装置の一部であるところ、便宜上、一つのスラブ２及び板構造物６０のためのセル（ｃｅｌｌ）構造であることを明らかにする。更に、不必要な混同を防止するために、説明に必ず必要な図面の符号以外は、符号を省略する。
【００５０】
先ず、図５に示されたように、スラブ２の上面又は下面の縁に沿って第１のボルトＢ１を挿入する。この時、好ましくは、第１のボルトＢ１は、ヘッドがスラブ２に埋め立てられるアンカーボルト（anchor bolt）であり、その挿入方法は、別途の説明がなくても簡単に理解することができる。
【００５１】
次に、第１のボルトＢ１及びこれに締結される第１のナットＮ１により、第１のブラケット１０の第１の固定端１２を固定する。これにより、第１のブラケット１０の第１の固定端１２は、スラブ２の上面又は下面の縁に沿って密着され、第１の支持端１６は、スラブ２の外面に並んでいるように垂直に固定される。この時、スラブ２がＨビームなどの鉄鋼材であれば、第１のブラケット１０の第１の固定端１２は溶接されることができる。
【００５２】
次に、図６に示されたように、第１のブラケット１０の第１の支持端１６の内側に横ビーム２０を水平に載せ、第２のボルトＢ２及び第２のナットＮ２により固定する。この時、横ビーム２０の開口部２４は、第１の支持端１６に向かい、第２のボルトＢ２は、第１の支持ホール１８及び横ビーム２０の開口部２４にヘッドから挿入され、第２のナットＮ２は、フランジナットが使用される。
【００５３】
一方、上記の過程中に必要であれば、横ビーム２０と並んでいるように少なくとも一つの補助横ビーム（図１の２１を参照し、以下同一である。）を更に固定することができる。このためには、左右側の柱にボルト及びナットにより別途のブラケットを固定した後、ここに第１のブラケット１０を固定した後、第１のブラケット１０に補助横ビーム２１をボルト及びナットにより固定する。これに対しては、該当の部分で詳しく説明する。
【００５４】
次に、図７に示されたように、横ビーム２０の外面に沿って縦ビーム４０を垂直に配置し、横ビーム２０と縦ビーム４０の交差地点に該当する縦ビーム４０の外面に、第２のブラケット３０の第２の固定端３２を覆って密着させた後、第３のボルトＢ３と第３のナットＮ３により第２の支持端３６を横ビーム２０に固定し、第４のボルトＢ４及び第４のナットＮ４により第２の固定端３２を縦ビーム４０に固定する。この時、第３のボルトＢ３は、第２の支持端３６の第３の支持ホール３８及び横ビーム２０の開口部２４にヘッドから挿入され、第４のボルトＢ４は、第２の固定端３２の第２の固定ホール３４及び縦ビーム４０の開口部２４にヘッドから挿入され、第３及び第４のナットＮ３、Ｎ４は、それぞれフランジナットが使用される。
【００５５】
次に、図８に示されたように、縦ビーム４０の外面に第３のブラケット５０の第３の固定端５２を密着させ、第５のボルトＢ５及び第５のナットＮ５により固定する。この時、第５のボルトＢ５は、第３の固定端５２の第３の固定ホール５４及び縦ビーム４０の開口部２４にヘッドから挿入され、第５のナットＮ５は、フランジナットが使用される。次いで、第３の支持端５６に延長ピン７０を積み重ねた後、第６のボルトＢ６及び第６のナットＮ６により緊密に固定する。この時、第６のボルトＢ６及び第６ナットＢ６は、通常のボルト及びナットが使用される。
【００５６】
最後に、図９に示されたように、板構造物６０の上下左右の４つのかどが延長ピン７０に支持されるように嵌めた後、ピンホール７４にピン７８を嵌めながら、同じ方式で板構造物６０が四方に連続するように垂直に固定する。そして、目的により、板構造物６０の間をセメントやシリコーンなどで仕上げれば、本発明の第１の実施例に係る外壁施工が完了される。
【００５７】
これにより、スラブ２が完成されたラーメン式建物に対する外壁が具現された。
【実施例２】
【００５８】
添付の図１０は、本発明の第２の実施例に係る外壁施工装置の平面図である。便宜上、前述した内容と同一の役割をする同一部分に対しては、同一の図面の符号を付与した。
【００５９】
本実施例は、別途の壁面が設けられた建物にカーテンウォールを施工するための場合として、図面上の当該壁面６を確認することができる。
【００６０】
示されたように、本発明の第２の実施例に係る外壁施工装置は、壁面６に沿って水平に固定された複数の横ビーム２０と、横ビーム２０の外面に沿って垂直に固定された複数の縦ビーム４０と、縦ビーム４０の外側に四方に連続するように垂直に固定された複数の板構造物６０とを備える。この時、本実施例において、横ビーム２０は、補助横ビームと特に区分されない。
【００６１】
そして、本発明の第２の実施例に係る外壁施工装置の横ビーム２０は、補助ブラケット８０と第１のブラケット１０とを媒介にして壁面６に水平に固定され、縦ビーム４０は、第２のブラケット３０を媒介にして横ビーム２０の外面に垂直に固定され、板構造物６０は、第３のブラケット５０を媒介にして、縦ビーム４０の外側に四方に連続するように垂直に固定される。この時、横ビーム２０、第２のブラケット３０、縦ビーム４０、及び第３のブラケット５０の構造及び作用は、第１の実施例と同一である一方、本実施例は、補助ブラケット８０及びこれを利用した横ビーム２０の固定方式のみにおいて差異を表す。
【００６２】
従って、この部分を重点的に説明する。
【００６３】
添付の図１１は、本発明の第２の実施例に係る外壁施工装置の一部として、図１０の円内のＤ部分に対する拡大斜視図を示し、図１０と共に参照する。
【００６４】
示されたように、横ビーム２０は、補助ブラケット８０と第１のブラケット１０により、壁面６に沿って水平に固定される。
【００６５】
これのための補助ブラケット８０は、垂直の補助固定端８２と補助支持端８６とからなるエルボー又は「Ｌ」字状として、実質的に第１のブラケット１０と同一であり、補助固定端８２には、補助固定ホール８４が貫通され、補助支持端８６には、補助支持ホール（図１２の８８を参照し、以下同一である。）が貫通される。
そして、補助ブラケット８０の補助固定端８２は、壁面６に既挿入された補助ボルトＳＢ及びこれに締結される補助ナットＳＮにより、壁面６に密着し固定され、よって補助支持端８６は、壁面６から垂直に水平配置される。また、補助ブラケット８０の補助支持端８６には、第１のブラケット１０の第１の固定端１２が重なって、補助支持ホール８８及び第１の固定ホール１４を貫通する第１のボルトＢ１及びこれに締結される第１のナットＮ１により堅固に固定される。
【００６６】
この時、好ましくは、補助固定ホール８４は、Ｙ軸方向の幅がＺ軸方向の幅より大きいＹ軸長孔の形態を示し、補助支持ホール８８は、Ｘ軸方向の幅がＺ軸方向の幅より大きいＸ軸長孔の形態を示す。従って、補助固定ホール８４に対する補助ボルトＳＢ及び補助ナットＳＮの締結位置と、補助支持ホール８８及び第１の固定ホール１４に対する第１のボルトＢ１及び第１のナットＮ１の締結位置とは、それぞれの限度内で適切に調節されることができる。
【００６７】
その結果、第１のブラケット１０の第１の支持端１６は、壁面６に並んで垂直に配置され、壁面６と第１の支持端１６のとの間には、開口部２４が第１の支持端１６に向かうように横ビーム２０が水平に安着され、第１の実施例と同様に、第１の支持ホール１８を通じて開口部２４に貫通し挿入される第２のボルトＢ２及びこれに締結される第２のナットＮ２により堅固に固定される。
そして、縦ビーム４０は、第２のブラケット３０により、横ビーム２０の外面に沿って垂直に固定され、板構造物６０は、第３のブラケット５０により、縦ビーム４０の外側に四方に連続するように垂直に固定される。
【００６８】
即ち、本発明の第２の実施例に係る外壁施工装置は、壁面６に横ビーム２０を固定するために、別途の補助ブラケット８０を更に使うという点で差を表すが、スラブと壁面６の方向を考慮すれば、第１の実施例の補助横ビーム（図１の２１を参照）も、本実施例に係る横ビーム２０と同一の方式で柱に固定される。
【００６９】
これに対しては、別途の図面がなくても、当業者であれば、簡単に理解することができる。
【００７０】
添付の図１２及び図１３は、それぞれ本発明の第２の実施例に係る外壁施工装置の施工順序に対する工程斜視図であって、図１０及び図１１を共に参照する。この時、図１２及び図１３は、それぞれ本発明の第２の実施例に係る外壁施工装置の一部であることを明らかにする。
【００７１】
先ず、図１２に示されたように、壁面６に補助ボルトＳＢを挿入する。この時、補助ボルトＳＢは、ヘッドの部分が壁面６に埋め立てられたアンカーボルトであり、補助ボルトＳＢ及びこれに締結される補助ナットＳＮにより、補助ブラケット８０の補助固定端８２を固定する。
【００７２】
これにより、補助ブラケット８０の補助固定端８２は、壁面に密着され、補助支持端８６は、水平に固定される。
【００７３】
次いで、補助ブラケット８０の補助支持端８８に第１のブラケット１０の第１の固定端１２を積み重ねた後、第１のボルトＢ１及び第１のナットＮ１により固定し、よって第１のブラケット１０の第１の支持端１６は、壁面に並んで垂直に堅固に固定される。この時、第１のボルトＢ１及び第１のナットＮ１は、通常のものを使用する。
【００７４】
次に、図１３に示されたように、第１のブラケット１０の第１の支持端１６の内側に横ビーム２０を水平に載せ、第２のボルトＢ２及び第２のナットＮ２により固定する。
【００７５】
以後の過程は、図７から図９を参照すれば、簡単に知ることができ、当該過程によりカーテンウォール施工が完了される。
【００７６】
一方、添付の図１７は、本発明に係る外壁施工装置の横ビーム又は縦ビーム２０、４０の一部を、互いに反対方向から示した斜視図であって、便宜上、（ａ）、（ｂ）に区分する。
【００７７】
示されたように、本発明に係る外壁施工装置の横ビーム２０又は縦ビーム４０は、好ましくは、開口部２４に向かう両側リブ２６の内面の縁、両側リブ２６の外面、及び開口部２４の反対側の外面に、それぞれ第１から第３のスクラッチＳＣ１、ＳＣ２、ＳＣ３が存在する。
【００７８】
この時、第１から第３のスクラッチＳＣ１、ＳＣ２、ＳＣ３は、該当の部分に密着する他の構成要素に対する摩擦力を高めるためのものであって、第１のスクラッチＳＣ１は、該当の部分に密着する第２から第５のボルトのヘッドが滑らないようにし、第２及び第３のスクラッチＳＣ２、ＳＣ３は、該当の部分に密着する横ビーム２０と縦ビーム４０とが互いに滑らないようにする。
【００７９】
即ち、前述したように、本発明に係る外壁施工装置における第２から第５のボルトのヘッドは、それぞれ開口部２４に挿入されてかかる。従って、第１のスクラッチＳＣ１は、第２から第５のボルトのヘッドと密着する地点に対する摩擦力を高めて、相対的に堅固な結合を図る。
また、本発明に係る外壁施工装置における横ビーム２０と縦ビーム４０は、互いに交差固定される。この時、たとえ横ビーム２０と縦ビーム４０の固定のために第２のブラケットが使われるが、これと共に第２及び第３のスクラッチＳＣ２、ＳＣ３は、横ビームと縦ビーム２０、４０が密着する地点に対する摩擦力を高めて、一層堅固な結合を図る。共に、第２のスクラッチＳＣ２は、該当の部分に密着する第１及び第２のブラケットに対する摩擦力を高めるところ、外壁施工装置は全体的に更に堅くなる。
【００８０】
以上の説明は、本発明の技術的な思想を説明するための望ましい一つの様態であって、いくらでも変形可能なことは、当業者に自明な事実であろう。しかし、これらのすべての変形は、本発明の権利の範囲内において行わなければならなく、本発明の権利範囲は、ただ以下の特許請求の範囲のみに限定される。
【符号の説明】
【００８１】
２、４：スラブ
１０：第１のブラケット
２０：横ビーム
２４：開口部
３０：第２のブラケット
４０：縦ビーム
５０：第３のブラケット
６０：板構造物
【図１】
2011111886.tif 000005
【図２】
2011111886.tif 000006
【図３】
2011111886.tif 000007
【図４】
2011111886.tif 000008
【図５】
2011111886.tif 000009
【図６】
2011111886.tif 000010
【図７】
2011111886.tif 000011
【図８】
2011111886.tif 000012
【図９】
2011111886.tif 000013
【図１０】
2011111886.tif 000014
【図１１】
2011111886.tif 000015
【図１２】
2011111886.tif 000016
【図１３】
2011111886.tif 000017
【図１４】
2011111886.tif 000018
【図１５】
2011111886.tif 000019
【図１６】
2011111886.tif 000020
【図１７】
2011111886.tif 000021